(57)【要約】      （修正有）【課題】浅い海域に設置され、津波のエネルギーを減衰して沿岸における津波被害を少なくするようにした津波防波堤を提供する。【解決手段】浅い海域に複数の堤体１０等を相互に船舶の通行を許容する間隔をあけかつ津波５０の進行方向に対して直交するように多段に設け、複数の各堤体は想定された波高の津波の越波を阻止し得る堤高さを有し、津波が衝突する側の壁面１０Ａは津波を跳ね返すように側面円弧状に形成する。複数の堤体うち、陸上に近い堤体は、両側が陸上から離れる方向に折り曲げるのがよい。【選択図】図３
0003170649.tif 000002
【実用新案登録請求の範囲】
【請求項１】
浅い海域に複数の堤体（１０、１１）が相互に船舶の通行を許容する間隔をあけかつ津波（５０）の進行方向に対して直交するように多段に設けられ、上記複数の各堤体（１０、１１）は想定された波高の津波（５０）の越波を阻止し得る堤高さを有し、津波（５０）が衝突する側の壁面（１０Ａ）は津波を跳ね返すように側面円弧状に形成されていることを特徴とする津波防波堤。
【請求項２】
上記複数のうち、陸上に近い堤体（１１）は、両側が陸上から離れる方向に折り曲げられている請求項１記載の津波防波堤。
【考案の詳細な説明】
【技術分野】
【０００１】
本考案は津波防波堤に関し、特に浅い海域に設置され、津波のエネルギーを減衰して沿岸における津波被害を少なくするようにした防波堤に関する。
【背景技術】
【０００２】
我国は四方を海で囲まれている関係で、地震発生時における津波の被害が繰り返されてきた。津波は浅い海域で急激に波高が大きくなって、巨大なエネルギーのまま陸上にはい上がり（遡上）、陸上の家屋などを破壊しつくすなど、被害は甚大である。津波の波高は奥方が狭い湾岸地域だけでなく、海底が遠浅である地域でも非常に高くなることが知られている。
【０００３】
津波の被害が懸念される地域では、例えば防潮堤によって津波の遡上を抑制することが行われている。防潮堤は過去の津波の波高などから堤高さが決定されているが、堤高さは安全確保の観点から、どんどん高くなり、それに伴って防潮堤の基礎も大きくなり、巨大な構造物となる傾向にある。
【０００４】
他方、浅い海域に、津波の越波を許容する堤高さの複数の堤体を津波の進行方向に直交するように多段に設置し、陸上に達する津波のエネルギーを減衰させるようにした津波防波堤が提案されている（特許文献１）。
【０００５】
また、天端面に津波の一部を越波させる開口を形成した堤体を浅い海域に設置し、開口の底面及び側面を粗面とし、陸上に達する津波のエネルギーを開口を通過させることによって減衰させるようにした津波防波堤が提案されている（特許文献２）。
【先行技術文献】
【特許文献】
【０００６】
【特許文献１】特開平０７−１１３２１９号公報
【特許文献２】特開平０７−１１３２１６号公報
【考案の概要】
【考案が解決しようとする課題】
【０００７】
しかし、特許文献１、２記載の津波防波堤では越波によって津波のエネルギーを減衰させるようにしているので、巨大な津波に対しては津波のエネルギーをあまり減衰させることができず、津波の遡上による被害を軽減することができない。
【０００８】
本考案はかかる問題点に鑑み、巨大な津波であっても津波のエネルギーを確実に減衰して津波の被害を少なくできるようにした津波防波堤を提供することを課題とする。
【課題を解決するための手段】
【０００９】
そこで、本考案に係る津波防波堤は、浅い海域に複数の堤体が相互に船舶の通行を許容する間隔をあけかつ津波の進行方向に対して直交するように多段に設けられ、上記複数の各堤体は想定された波高の津波の越波を阻止し得る堤高さを有し、津波が衝突する側の壁面は津波を跳ね返すように側面円弧状に形成されていることを特徴とする。
【００１０】
本考案の特徴の１つは複数の堤体を船舶が通行できる間隔をあけて多段に設け、複数の各堤体の堤高さを十分な高さとし、壁面を側面円弧状に形成するようにした点にある。
【００１１】
これにより、沖合から進んできた津波は堤体に衝突して跳ね返され、次の津波と衝突して津波のエネルギーを相互に打ち消し合う。また、隣接する堤体の間を進行した津波は次段の堤体に向けて進行する。次段の堤体でも同様のことが起こる。このような働きが繰り返されて津波のエネルギーは次第に小さくなり、陸上に遡上して被害を発生させるおそれを少なくできる。
【００１２】
また、堤体は２段以上設ければよい。特に、複数のうち、陸上に近い堤体は、両側を陸上から離れる方向に折り曲げた形状とすると、陸上近くの堤体に衝突して進行方向を横に変えた津波は堤体両側の部分によって案内されて陸上から離れる方向に進行するので、陸上への遡上をより一層少なくできる。
【図面の簡単な説明】
【００１３】
【図１】本考案に係る津波防波堤の好ましい実施形態を示す概略平面図である。
【図２】上記実施形態における作用を模式的に示す図である。
【図３】上記実施形態における要部を模式的に示す図である。
【考案を実施するための形態】
【００１４】
以下、本考案を図面に示す具体例に基づいて詳細に説明する。図１ないし図３は本考案に係る津波防波堤の好ましい実施形態を示す。図において、湾２０の例えば水深２５ｍより浅い海底には複数の堤体１０、１１が津波の進行方向に対してほぼ直角になるように、かつ相互に船舶が通行し得る間隔Ｗ０、Ｗ１をあけて多段に設置され、各堤体１０、１１の両端には夜間における船舶の通行を案内する照明灯（図示せず）が設けられ、又陸上には海と家屋などの建造物１３との間に防潮堤１２が構築されている。
【００１５】
堤体１０は基礎杭１０Ｂを海底３０下方の岩盤３１に到達するように打ち込み、基礎杭１０Ｂ上には堤体１０が例えば鉄筋コンクリートを用い、想定される津波５０の越波を阻止し得る堤高さに形成されている。この堤体１０の前壁面には満潮時の海面を挟むように側面円弧凹状の壁面１０Ａが形成され、想定される波高の津波５０が衝突したときに跳ね返すようになっている。
【００１６】
また、陸上に近い堤体１１は堤体１０と同様の側面円弧凹状の壁面に形成されるとともに、両側部分が前方に折り曲げられた平面形状をなし、衝突した津波５０の一部を斜め前方に送り出すようになっている。
【００１７】
さらに、堤体１０、１１の背後には魚介類が繁殖するように石が積み上げられて漁礁１０Ｃが形成され、漁礁１０Ｃを覆うように消波ブロック１０Ｄが積み上げられ、越波した津波を消波ブロック１０Ｄに衝突させ、エネルギーを減衰させるようになっている。
【００１８】
沖合の海底で地震が発生し、津波５０が湾２０に向けて向けて押し寄せると、最初の段の堤体１０に衝突する。すると、津波５０は堤体１０の円弧凹状の壁面１０Ａに衝突して跳ね返され、跳ね返された波５０Ａは押し寄せる津波５０と衝突し、津波５０の前方に押し寄せようとするエネルギーを減衰させる。
【００１９】
他方、隣接する堤体１０の間を進んだ津波５０は次段の堤体１０の壁面１０Ａに衝突し、最小の段の堤体１０に衝突した津波５０と同様に津波のエネルギーが減衰される。このような働きが繰り返され、津波５０のエネルギーは大幅に減衰され、波高はそれほど高くなることはない。
【００２０】
たとえ、海岸線に達しても防潮堤１２が設置されているので、家屋などの建造物１３が被害を受けることは少ない。
【００２１】
また、本例では陸上に近い堤体１１の両側部分を前方に折り曲げているので、津波５０の一部５０Ｂは側方にガイドされ、建造物１３の被害を更に少なくできる。
【００２２】
なお、上記では陸上に近い堤体１１の両側を前方に折り曲げるようにしたが、真っ直ぐのままでもよい。
【符号の説明】
【００２３】
１０、１１      堤体
１０Ａ          側面円弧凹状の壁面
２０            湾
５０            津波
【図１】
0003170649.tif 000003
【図２】
0003170649.tif 000004
【図３】
0003170649.tif 000005